(57)【特許請求の範囲】
【請求項１】
ＶＨＦ帯及びＵＨＦ帯のテレビジョン放送信号とＦＭ放送信号とが混合されたＣＡＴＶ放送信号及び地上波ＦＭ放送信号を中間周波信号に周波数変換するチューナー部と、前記中間周波信号から音声中間周波信号及び映像中間周波信号を出力する中間周波回路と、前記音声中間周波信号と前記映像中間周波信号とを復調する復調器と、前記ＦＭ放送信号及び前記地上波ＦＭ放送信号の受信時に前記映像中間周波信号の周波数と同じ周波数の疑似搬送波を前記復調器に供給する疑似搬送波発振器とを備え、前記チューナ部には、第１の入力端と出力端との間に接続された第１のスイッチダイオードと第２の入力端と前記出力端との間に接続された第２のスイッチダイオードとを有するアンテナスイッチ回路と、前記ＶＨＦ帯テレビジョン放送信号と前記ＦＭ放送信号と前記地上波ＦＭ放送信号を前記中間周波信号に変換すると共に、前記出力端に接続されたＶＨＦ回路部と、前記ＵＨＦ帯テレビジョン放送信号を前記中間周波信号に変換するＵＨＦ回路部とを設け、前記第１の入力端に前記ＶＨＦ帯テレビジョン放送信号と前記ＦＭ放送信号と前記地上波ＦＭ放送信号を入力すると共に、前記第２の入力端に前記地上波ＦＭ放送信号を入力し、前記ＶＨＦ帯テレビジョン放送信号または前記ＦＭ放送信号を受信するときは、前記第二のスイッチダイオードを非導通状態にするとともに、前記第一のスイッチダイオードを導通状態にし、前記地上波ＦＭ放送信号を受信するときは、前記第一のスイッチダイオードを非導通状態にするとともに、前記第二のスイッチダイオードを導通状態にしたことを特徴とするテレビジョンチューナー。
【請求項２】
前記第一の入力端とグランドとの間に、第三のスイッチダイオードを設け、前記第二の入力端とグランドとの間に、第四のスイッチダイオードを設け、前記ＶＨＦ帯テレビジョン放送信号またはＦＭ放送信号を受信するときは、前記第三のスイッチダイオードを非導通状態にするとともに、前記第四のスイッチダイオードを導通状態にし、前記ＵＨＦ帯テレビジョン放送信号または前記地上波ＦＭ放送信号を受信するときは、前記第三のスイッチダイオードを導通状態にするとともに、前記第四のスイッチダイオードを非導通状態にしたことを特徴とする請求項１記載のテレビジョンチューナー。
【発明の詳細な説明】
【０００１】
【発明の属する技術分野】
本発明は、テレビジョン放送信号とＦＭ放送信号とが混合されたＣＡＴＶ放送信号と、ＦＭ放送受信アンテナ（以下、単にＦＭアンテナという。）によって受信する、地上波ＦＭ放送信号とを受信できるテレビジョンチューナーに関する。
【０００２】
【従来の技術】
従来のテレビジョンチューナーを図３に従って説明する。図３において、テレビジョンチューナーは、ＣＡＴＶ放送信号と地上波ＦＭ放送信号とを受信するチューナー部３１と、中間周波回路３２と、周波数変換回路３３と、第一の復調器３４と、第二の復調器３５とを有している。
【０００３】
まず、チューナー部３１の入力端３１ａには、入力切替スイッチ３６が接続されている。この入力切替スイッチ３６には、ＣＡＴＶケーブル３７とＦＭアンテナ３８とが接続される。そして、このＣＡＴＶケーブル３７から導出されたＣＡＴＶ放送信号、またはＦＭアンテナ３８によって受信された地上波ＦＭ放送信号がチューナー部３１で受信される。チューナー部３１の出力端３１ｂには、入力切替スイッチ３６の切り替えに連動する出力切替スイッチ３９が接続されている。出力切替スイッチ３９には、中間周波回路（以下、ＩＦ回路という。）３２と周波数変換回路３３が接続されている。
【０００４】
そして、チューナー部３１は、入力切替スイッチ３６によってＣＡＴＶケーブル３７に接続されたときは、出力切替スイッチ３９によって、ＩＦ回路３２に接続され、また、入力切替スイッチ３６によってＦＭアンテナ３８に接続されたときは、出力切替スイッチ３９によって周波数変換回路３３に接続されるようになっている。
【０００５】
チューナー部３１は、ＶＨＦ回路部３１ｃとＵＨＦ回路部３１ｄとを有しており、図示はしないが、それぞれが同調回路、混合回路、局部発振回路等を有しており、入力端３１ａに入力されたＣＡＴＶ放送信号と地上波ＦＭ放送信号とをテレビジョンの中間周波信号（以下、ＩＦ信号という。）に周波数変換して出力するようになっている。ここで、地上波ＦＭ放送信号は、ＣＡＴＶ放送信号のうち、ＶＨＦ帯のローバンドの周波数に近いので、ＶＨＦ回路部３１ｃで受信するようになっている。
そして、ＣＡＴＶ放送信号のうちの、ＶＨＦ帯の放送信号を受信するとき、または地上波ＦＭ放送信号を受信するときは、入力されたＶＨＦ帯の放送信号または地上波ＦＭ放送信号をＶＨＦ回路部３１ｃに入力し、ＩＦ信号に周波数変換して出力する。同様に、ＵＨＦ帯の放送信号を受信するときは、入力されたＵＨＦ帯の放送信号をＵＨＦ回路部３１ｄに入力し、ＩＦ信号に周波数変換して出力する。
【０００６】
ＩＦ回路３２には、チューナー部３１から出力された、ＣＡＴＶ放送信号のＩＦ信号が入力される。例えば、ＵＳチャンネルにおけるＩＦ信号は、音声中間周波信号（周波数が４１．２５ＭＨｚ）Ｓと映像中間周波信号（周波数が４５．７５ＭＨｚ）Ｐとを含んでおり、第一の復調器３４に入力される。そして、第一の復調器３４で音声信号Ａ及び映像信号Ｖに復調されて取り出される。
【０００７】
次に、地上波ＦＭ放送信号を受信するときは、チューナー部３１のＶＨＦ回路部３１ｃから出力されたＩＦ信号は周波数変換回路３３に入力される。ここで、地上波ＦＭ放送信号のＩＦ信号は、ＣＡＴＶ放送信号の音声中間周波信号Ｓと同じ周波数になる。
そして、ＶＨＦ回路部３１ｃから出力されたＩＦ信号は、一般的に、周波数変換回路３３において汎用の１０．７ＭＨｚに周波数変換して出力し、次段に接続された、ＦＭラジオ用の、汎用の復調器である第二の復調器３５によって、音声信号Ａが取り出される。
【０００８】
【発明が解決しようとする課題】
ところで、このようなＣＡＴＶ放送信号には、いわゆる映像信号を伴う、通常のテレビジョン放送信号の他に、映像信号が無く、音声信号のみのＦＭ放送信号も含まれている。しかし、従来のテレビジョンチューナーでは、映像中間周波信号Ｐと音声中間周波信号Ｓのビートを得てから音声信号に復調するので、映像中間周波信号Ｐを持たないＣＡＴＶ放送信号中のＦＭ放送信号は、受信することができなかった。
【０００９】
本発明は、この問題を解決するためのもので、その目的は、ケーブルを介して導出されるＣＡＴＶ放送信号内のテレビジョン放送信号及びＦＭ放送信号と、地上波ＦＭ放送信号とを受信することができるようにすることにある。
【００１０】
【課題を解決するための手段】
上記課題の解決のために、本発明のテレビジョンチューナは、ＶＨＦ帯及びＵＨＦ帯のテレビジョン放送信号とＦＭ放送信号とが混合されたＣＡＴＶ放送信号及び地上波ＦＭ放送信号を中間周波信号に周波数変換するチューナー部と、前記中間周波信号から音声中間周波信号及び映像中間周波信号を出力する中間周波回路と、前記音声中間周波信号と前記映像中間周波信号とを復調する復調器と、前記ＦＭ放送信号及び前記地上波ＦＭ放送信号の受信時に前記映像中間周波信号の周波数と同じ周波数の疑似搬送波を前記復調器に供給する疑似搬送波発振器とを備え、前記チューナ部には、第１の入力端と出力端との間に接続された第１のスイッチダイオードと第２の入力端と前記出力端との間に接続された第２のスイッチダイオードとを有するアンテナスイッチ回路と、前記ＶＨＦ帯テレビジョン放送信号と前記ＦＭ放送信号と前記地上波ＦＭ放送信号を前記中間周波信号に変換すると共に、前記出力端に接続されたＶＨＦ回路部と、前記ＵＨＦ帯テレビジョン放送信号を前記中間周波信号に変換するＵＨＦ回路部とを設け、前記第１の入力端に前記ＶＨＦ帯テレビジョン放送信号と前記ＦＭ放送信号と前記地上波ＦＭ放送信号を入力すると共に、前記第２の入力端に前記地上波ＦＭ放送信号を入力し、前記ＶＨＦ帯テレビジョン放送信号または前記ＦＭ放送信号を受信するときは、前記第二のスイッチダイオードを非導通状態にするとともに、前記第一のスイッチダイオードを導通状態にし、前記地上波ＦＭ放送信号を受信するときは、前記第一のスイッチダイオードを非導通状態にするとともに、前記第二のスイッチダイオードを導通状態にした。
【００１２】
また、本発明のテレビジョンチューナーは、第一の入力端とグランドとの間に、第三のスイッチダイオードを設け、第二の入力端とグランドとの間に、第四のスイッチダイオードを設け、ＶＨＦ帯テレビジョン放送信号またはＦＭ放送信号を受信するときは、第三のスイッチダイオードを非導通状態にするとともに、第四のスイッチダイオードを導通状態にし、ＵＨＦ帯テレビジョン放送信号または地上波ＦＭ放送信号を受信したときは、第三のスイッチダイオードを導通状態にするとともに、第四のスイッチダイオードを非導通状態にした。
【００１５】
【発明の実施の形態】
本発明のテレビジョンチューナーを図１に従って説明する。図１は、本発明のテレビジョンチューナーのブロック構成を示したもので、チューナー部１と、切替制御部２と、中間周波回路（以下、ＩＦ回路という。）３と、復調器４と、疑似搬送波発振器５と、疑似搬送波発振器５からの疑似搬送波を復調器４に入力するための切替手段６等を有している。ここで、チューナー部１の第一の入力端１ａには、ケーブル７が接続されており、第二の入力端１ｂには地上波ＦＭ放送受信アンテナ（以下、単にＦＭアンテナという。）８が接続される。
そして、チューナー部１の第一の入力端１ａには、ケーブル７を介して導出されるＣＡＴＶ放送信号が入力され、第二の入力端１ｂにはＦＭアンテナ８が受信した地上波ＦＭ放送信号が入力されるようになっている。
【００１６】
ケーブル７を介して導出されるＣＡＴＶ放送信号の中には、映像信号を有する、いわゆる通常のテレビジョン放送信号と、映像信号を持たない、音声信号のみのＦＭ放送信号とがあり、ＦＭ放送信号は、テレビジョン放送信号とは異なった周波数帯（ＶＨＦ帯のローバンドの中の特定の周波数帯）で放送されている。
以下の説明において、ケーブル７を介して導出されるＦＭ放送信号を、単にＦＭ放送信号と呼び、ＦＭアンテナ８によって受信したＦＭ放送信号を、地上波ＦＭ放送信号と呼ぶこととする。また、単にテレビジョン放送信号という場合は、ＦＭ放送信号を除いた映像信号を有するＣＡＴＶ放送信号を指すものとする。
【００１７】
チューナー部１は、ＶＨＦ回路部９と、ＵＨＦ回路部１０と、アンテナスイッチ回路１１とを有している。そして、ケーブル７がＵＨＦ回路部１０の入力端１０ａとアンテナスイッチ回路１１の第一の入力端１１ａとに接続され、ＦＭアンテナ８がアンテナスイッチ回路１１の第二の入力端１１ｂに接続されている。また、アンテナスイッチ回路１１の出力端１１ｃがＶＨＦ回路部９の入力端９ａに接続されている。
そして、ＣＡＴＶ放送信号のうちのＵＨＦ帯テレビジョン放送信号は、ＵＨＦ回路部１０に入力され、ＣＡＴＶ放送信号のうちのＶＨＦ帯の信号（テレビジョン放送信号とＦＭ放送信号）または地上波ＦＭ放送信号のいずれかが、アンテナスイッチ回路１１で選択されて、ＶＨＦ回路部９に入力されるようになっている。
【００１８】
ＶＨＦ回路部９とＵＨＦ回路部１０とは、図示はしないが、それぞれが同調回路、混合回路、局部発振回路等を有しており、入力されたテレビジョン放送信号、ＦＭ放送信号及び地上波ＦＭ放送信号をテレビジョンの中間周波信号（以下、ＩＦ信号という。）に周波数変換して出力するようになっている。また、ＶＨＦ回路部９は、高低二つのバンド（ローバンドとハイバンド）に切り替えられるようになっている。
【００１９】
ここで、チューナー部１から出力されたＩＦ信号は、テレビジョン放送信号を受信した場合は、例えば、ＵＳチャンネルにおいては、音声中間周波信号（周波数が４１．２５ＭＨｚ）Ｓと映像中間周波信号（周波数が４５．７５ＭＨｚ）Ｐとを含んでおり、ＦＭ放送信号及び地上波ＦＭ放送信号を受信した場合には、音声中間周波信号（周波数が４１．２５ＭＨｚ）Ｓのみを含んでいる。
そして、チューナー部１から出力されたＩＦ信号は、チューナー部１の出力端に接続されたＩＦ回路部３に入力されるようになっている。
【００２０】
アンテナスイッチ回路１１は、第一の切替電圧入力端１１ｄと、第二の切替電圧入力端１１ｅとを有しており、第一の切替電圧入力端１１ｄには、切替制御部２から出力された第一の切替電圧が入力され、第二の切替電圧入力端１１ｅには、切替電圧制御部２から出力された第二の切替電圧が入力される。
【００２１】
切替制御部２は、切替電圧発生器１２と、ＰＮＰ型のトランジスタ１３と抵抗１４とで構成されている。
切替電圧発生器１２は、選局信号Ｔに基づき、受信するバンドに応じて、切替電圧が出力される第一の出力端１２ａと、第二の出力端１２ｂと、第三の出力端１２ｃと、第四の出力端１２ｄとを有している。
【００２２】
そして、第一の出力端１２ａがアンテナスイッチ回路１１の第一の切替電圧入力端１１ｄと、ＶＨＦ回路部９内に設けられたバンド切り替え用のスイッチダイオード９ｂのカソードとに接続され、第二の出力端１２ｂがアンテナスイッチ回路１１の第二の切替電圧入力端１１ｅとトランジスタ１３のエミッタとに接続され、第三の出力端１２ｃがＶＨＦ回路部９内に設けられたバンド切り替え用のスイッチダイオード９ｂのアノードに接続されている。
また、トランジスタ１３のベースは、抵抗１４を介して、第一の出力端１２ａに、コレクタはＵＨＦ回路部１０に、それぞれ接続されている。さらに、第四の出力端１２ｄが、切替手段６に接続されている。
【００２３】
そして、ＵＨＦ帯テレビジョン放送信号を受信するときは、第二の出力端１２ｂから第二の切替電圧のみが出力され、ＶＨＦ帯のハイバンドのテレビジョン放送信号を受信するときは、第三の出力端１２ｃから第三の切替電圧のみが出力され、ＶＨＦ帯のローバンドのテレビジョン放送信号を受信するときは、第一の出力端１２ａから第一の切替電圧のみが出力される。
また、ＣＡＴＶ放送信号中のＦＭ放送信号を受信するときは、第一の出力端１２ａから第一の切替電圧、第四の出力端１２ｄから第四の切替電圧がそれぞれ出力され、地上波ＦＭ放送信号を受信するときは、第一の出力端１２ａから第一の切替電圧、第二の出力端１２ｂから第二の切替電圧、第四の出力端１２ｄから第四の切替電圧がそれぞれ出力するようになっている。
【００２４】
次に、アンテナスイッチ回路１１を図２に従って詳述する。図２において、アンテナスイッチ回路１１は、第一の入力端１１ａと、第二の入力端１１ｂと、出力端１１ｃと、第一の切替電圧入力端１１ｄと、第二の切替電圧入力端１１ｅとを有している。
第一の入力端１１ａと出力端１１ｃとは、第一のスイッチダイオード１５を介して接続されている。ここで、第一のスイッチダイオード１５のアノードが第一の入力端１１ａに接続されている。第二の入力端１１ｂと出力端１１ｃとは、第二のスイッチダイオード１６を介して接続されている。また、第二のスイッチダイオード１６のアノードが第二の入力端１１ｂに接続されている。
【００２５】
そして、第一のスイッチダイオード１５のアノードとグランドとの間に、直列に接続された第三のスイッチダイオード１７と直流阻止コンデンサ１８とが設けられている。ここで、直流阻止コンデンサ１８の一端が接地されており、第三のスイッチダイオード１７のカソードが、第一のスイッチダイオード１５のアノードに接続されている。
同様に、第二のスイッチダイオード１６のアノードとグランドとの間には、直列に接続された第四のスイッチダイオード１９と直流阻止コンデンサ２０とが設けられている。ここで、直流阻止コンデンサ２０の一端が接地されており、第四のスイッチダイオード１９のカソードが、第二のスイッチダイオード１６のアノードに接続されている。
【００２６】
また、第三のスイッチダイオード１７と直流阻止コンデンサ１８との接続点と第四のスイッチダイオード１９と直流阻止コンデンサ２０との接続点とが抵抗２１を介して接続されており、さらに、第四のスイッチダイオード１９と直流阻止コンデンサ２０との接続点と出力端１１ｃとが抵抗２２を介して接続されている。
【００２７】
第一の切替電圧入力端１１ｄは、直列に接続した抵抗２３とコイル２４とを介して第一のスイッチダイオード１５のアノードに接続されている。そして、コイル２４と第一のスイッチダイオード１５との接続点は抵抗２５を介して接地されている。
【００２８】
第二の切替電圧入力端１１ｅは、コイル２６を介して第二のスイッチダイオード１６のアノードに接続されている。そして、第二のスイッチダイオード１６とコイル２６との接続点は、抵抗２７を介して接地されている。
なお、第一の切替電圧と第二の切替電圧とは、等しくなっている。
【００２９】
以上のような構成において、まず、ケーブル７からＵＨＦ帯テレビジョン放送信号を受信するときは、切替電圧発生器１２の第二の出力端１２ｂに第二の切替電圧が発生する。すると、アンテナスイッチ回路１１の第二の切替電圧入力端１１ｅとトランジスタ１３のエミッタに第二の切替電圧が供給される。
【００３０】
このとき、アンテナスイッチ回路１１においては、第二のスイッチダイオード１６のアノード及び第四のスイッチダイオード１９のカソードに電圧が供給され、第二のスイッチダイオード１６、抵抗２２、抵抗２１、第三のスイッチダイオード１７、抵抗２５を通じて電流が流れることによって、第二のスイッチダイオード１６及び第三のスイッチダイオード１７は導通状態になる。
従って、ＦＭアンテナ８が第二のスイッチダイオード１６を介してＶＨＦ回路部９に接続され、また、ケーブル７が第三のスイッチダイオード１７を介して、高周波的に接地される。
【００３１】
また、第四のスイッチダイオード１９のアノードには抵抗２２を介して電圧が供給されるため、カソードにかかる電圧に比べ、アノードにかかる電圧の方が低くなる。従って、第四のスイッチダイオード１９は非導通状態となる。
【００３２】
また、第一のスイッチダイオード１５のアノードの電圧は、そのカソードに加えられた電圧に比べ、抵抗２２と抵抗２１とを介して供給されている分だけ、電圧が低くなっているので、第一のスイッチダイオード１５は、非導通状態となる。従って、ケーブル７が第一のスイッチダイオード１５によって、ＶＨＦ回路部９から切り離される。
【００３３】
そして、第一のスイッチダイオード１５のアノードの電圧が、第一の切替電圧入力端１１ｄに現れ、この電圧がトランジスタ１３のエミッタに供給される第二の切替電圧に比べて電圧が降下しているので、トランジスタ１３のベースに電流が流れる。従って、トランジスタ１３のエミッタ−コレクタ間が導通し、第二の切替電圧がトランジスタ１３のコレクタからＵＨＦ回路部１０に供給される。
この結果、ＵＨＦ回路部１０が動作状態となる。
【００３４】
以上のことから、ケーブル７から入力されたＵＨＦ帯のテレビジョンＶ信号は、ＵＨＦ回路部１０にのみに入力される。そして、ＵＨＦ回路部１０に入力されたＵＨＦ帯テレビジョン放送信号は、図示しない同調回路、混合回路、局部発振回路等によってＩＦ信号に変換されて出力される。
【００３５】
次に、ＶＨＦ帯テレビジョン放送信号のうち、ハイバンドのテレビジョン放送信号を受信するときは、切替電圧発生器１２の第三の出力端１２ｃに第三の切替電圧が発生する。すると、第三の切替電圧がＶＨＦ回路部９内に設けられたスイッチダイオード９ｂのアノードに供給される。
【００３６】
そして、スイッチダイオード９ｂが導通し、そのカソードからアンテナスイッチ回路１１の第一の切替電圧入力端１１ｄに第三の切替電圧が供給される。従って、ＶＨＦ回路部９はハイバンドのテレビジョン放送信号を受信する状態に切り替えられる。
【００３７】
すると、アンテナスイッチ回路１１においては、第一のスイッチダイオード１５、抵抗２２、第四のスイッチダイオード１９、抵抗２７を通じて電流が流れることによって、第一のスイッチダイオード１５及び第四のスイッチダイオード１９が導通する。
従って、ケーブル７が第一のスイッチダイオード１５を介してＶＨＦ回路部９に接続され、ＦＭアンテナ８が第四のスイッチダイオード１９を介して、高周波的に接地される。
【００３８】
ここで、第二のスイッチダイオード１６のアノードの電圧は、そのカソードに供給される電圧に比べて、抵抗２２の分だけ電圧が降下しているので、アノードの方が電圧が低い。
従って、第二のスイッチダイオード１６は非導通状態になるので、ＦＭアンテナ８はＶＨＦ回路部９から切り離される。
【００３９】
また、第四のスイッチダイオード１９のアノードの電圧は、抵抗２１を介して、第三のスイッチダイオード１７に供給される。しかし、第三のスイッチダイオード１７アノードに供給される電圧は、そのカソードに供給される電圧に比べて、抵抗２１及び抵抗２２の分だけ、電圧が降下しているので、アノードの方が電圧が低い。従って、第三のスイッチダイオード１７は非導通状態になる。
【００４０】
その結果、ＶＨＦ回路部９は、ケーブル７と第一のスイッチダイオード１５を介して接続され、ＶＨＦ回路部９に入力されたハイバンドのテレビジョン放送信号は、図示しない同調回路、混合回路、局部発振回路等によってＩＦ信号に変換されて出力される。
なお、第二の出力端１２ｂから第二の切替電圧は発生しないので、ＵＨＦ回路部１０には電圧が供給されていない。
【００４１】
次に、ＶＨＦ帯テレビジョン放送信号のうち、ローバンドのテレビジョン放送信号を受信するときは、切替電圧発生器１２の第一の出力端１２ａに第一の切替電圧が発生する。すると、アンテナスイッチ回路１１の第一の切替電圧入力端１１ｄ及びＶＨＦ回路部９内に設けられたスイッチダイオード９ｂのカソードに第一の切替電圧が供給され、スイッチダイオード９ｂが非導通となることによって、ＶＨＦ回路部９はローバンドのテレビジョン放送信号を受信する状態に切り替えられる。
【００４２】
すると、アンテナスイッチ回路１１においては、ハイバンドのテレビジョン放送信号を受信するときと同じように、第一のスイッチダイオード１５と第四のスイッチダイオード１９とが導通し、第二のスイッチダイオード１６と第三のスイッチダイオード１７とが非導通となるので、ＶＨＦ回路部９が第一のスイッチダイオード１５によってケーブル７と接続され、ＦＭアンテナ８は、第四のスイッチダイオード１９を介して高周波的に接地されるとともに、第二のスイッチダイオード１６によって、ＶＨＦ回路部９から切り離される。
【００４３】
そして、ケーブル７からＶＨＦ回路部９に入力されたローバンドのテレビジョン放送信号は、図示しない同調回路、混合回路、局部発振回路等によってＩＦ信号に変換されて出力される。
なお、第二の出力端１２ｂには、第二の切替電圧が発生しないので、ＵＨＦ回路部１０には電圧が供給されていないので、動作しない。
【００４４】
次に、ケーブル７からＦＭ放送信号を受信するときは、アンテナスイッチ回路１１をＶＨＦ帯のローバンドのテレビジョン放送信号を受信するときと同じ状態にする必要がある。従って、切替電圧発生器１２の第一の出力端１２ａからは第一の切替電圧が発生する。また、このときは第四の出力端１２ｄに第四の切替電圧が発生するが、これについては、後述する。
【００４５】
すると、ＶＨＦ帯のローバンドのテレビジョン放送信号を受信するときと同様に、第一のスイッチダイオード１５と第四のスイッチダイオード１９とが導通し、第二のスイッチダイオード１６と第三のスイッチダイオード１７とが非導通となるので、ＶＨＦ回路部９が第一のスイッチダイオード１５を介してケーブル７と接続され、ＦＭアンテナ８は第四のスイッチダイオード１９によって高周波的に接地されるとともに、ＶＨＦ回路部９から切り離される。また、ＶＨＦ回路部９は、ローバンドのテレビジョン放送信号を受信する状態に切り替えられる。
【００４６】
そして、ＶＨＦ回路部９に入力されたＦＭ放送信号は、図示しない同調回路、混合回路、局部発振回路等によってＩＦ信号に変換されて出力される。
なお、ＵＨＦ回路部１０には、第二の出力端１２ｂには第二の切替電圧が発生しないので、電圧が供給されない。
【００４７】
次に、ＦＭアンテナ８から、地上波ＦＭ放送信号を受信するときは、切替電圧発生器１２の第一の出力端１２ａには第一の切替電圧が発生し、第二の出力端１２ｂには第二の切替電圧が発生する。また、このときは、第四の出力端１２ｄに第四の切替電圧が発生するが、これについても、後述する。
すると、アンテナスイッチ回路１１の第一の切替電圧入力端１１ｄ及びＶＨＦ回路部９内のスイッチダイオード９ｂのカソードに第一の切替電圧が供給され、第二の切替電圧入力端１１ｅ及びトランジスタ１３のエミッタに第二の切替電圧が供給される。そして、ＶＨＦ回路部９は、ローバンドのテレビジョン放送信号を受信する状態に切り替えられる。
【００４８】
そして  、抵抗２３と抵抗２５とによって分圧された電圧が第一のスイッチダイオード１５のアノード及び第三のスイッチダイオード１７のカソードに供給されるので、第二のスイッチダイオード１６、抵抗２２、抵抗２１、第三のスイッチダイオード１７、抵抗２５を通じて電流が流れることによって、第二のスイッチダイオード１６及び第三のスイッチダイオード１７は導通状態になる。
【００４９】
従って、ＦＭアンテナ８が第二のスイッチダイオード１６を介して、ＶＨＦ回路部９に接続され、また、ケーブル７が第三のスイッチダイオード１７を介して、高周波的に接地される。
また、第四のスイッチダイオード１９のアノードには、抵抗２２を介して電圧が供給されるが、抵抗２２を介して供給されたため、カソードにかかる電圧に比べ、アノードにかかる電圧の方が低くなる。従って、第四のスイッチダイオード１９は、非導通状態になる。
【００５０】
よって、ケーブル７は、第三のスイッチダイオード１７で高周波的に接地されるとともに、ＶＨＦ回路部９から切り離され、ＦＭアンテナ８は、第二のスイッチダイオード１６を介してＶＨＦ回路部９に接続される。そして、ＶＨＦ回路部９に入力されたＦＭ放送信号は、図示しない同調回路、混合回路、局部発振回路等によってＩＦ信号に変換されて出力される。
【００５１】
ここで、トランジスタ１３については、そのベースには第一の切替電圧が、エミッタには第二の切替電圧が供給されるが、第一の切替電圧と第二の切替電圧とは、同じ大きさの電圧なので、トランジスタ１３のエミッタ−ベース間には電位差は生じない。従って、そのエミッタ−コレクタ間は非導通状態となり、ＵＨＦ回路部１０には第二の切替電圧が供給されない。
なお、ＦＭ放送信号、または地上波ＦＭ放送信号を受信するときは、切替電圧発生器１２の第四の出力端１２ｄにも第四の切替電圧が発生するが、この第四の切替電圧は、切替手段６に入力される。
【００５２】
以上をまとめると、ＵＨＦ帯テレビジョン放送信号及びＶＨＦ帯のハイバンド及びローバンドのテレビジョン放送信号を受信するときは、映像中間周波信号及び音声中間周波信号とがＩＦ回路３に入力される。また、ＦＭ放送信号及び地上波ＦＭ放送信号を受信するときには音声中間周波信号のみがＩＦ回路３に入力される。
そして、ＩＦ回路３から出力されたＩＦ信号が復調器４に入力される。
【００５３】
復調器４は、入力された音声中間周波信号Ｓ及び映像中間周波信号Ｐを復調して、音声信号Ａと映像信号Ｖとを出力する。ここで、復調器４は、音声中間周波信号Ｓを復調するときには、映像中間周波信号Ｐと音声中間周波信号Ｓとのビート信号を生成してから復調するので、ＦＭ放送信号及び地上波ＦＭ放送信号を復調するときには、このままでは映像中間周波信号が存在しないため、復調できない。
【００５４】
そこで、ＦＭ放送信号または地上波ＦＭ放送信号を受信するときは、復調器４の入力端に接続された切替手段６によって疑似搬送波発振器５を復調器４に接続し、この映像中間周波信号Ｐの代わりに、疑似搬送波発振器から出力された映像中間周波信号と同じ周波数の疑似搬送波（周波数が４５．７５ＭＨｚ）を、復調器４に入力する。
そして、この疑似搬送波と音声中間周波信号とのビート信号を生成して、ＦＭ放送信号及び地上波ＦＭ放送信号の音声中間周波信号Ｓを復調して音声信号Ａを出力するようにしている。
【００５５】
【発明の効果】
以上のように、本発明のテレビジョンチューナは、チューナ部には、第１の入力端と出力端との間に接続された第１のスイッチダイオードと第２の入力端と出力端との間に接続された第２のスイッチダイオードとを有するアンテナスイッチ回路と、ＶＨＦ帯テレビジョン放送信号とＦＭ放送信号と地上波ＦＭ放送信号を中間周波信号に変換すると共に、出力端に接続されたＶＨＦ回路部と、ＵＨＦ帯テレビジョン放送信号を中間周波信号に変換するＵＨＦ回路部とを設け、第１の入力端にＶＨＦ帯テレビジョン放送信号とＦＭ放送信号と地上波ＦＭ放送信号を入力すると共に、第２の入力端に地上波ＦＭ放送信号を入力し、ＶＨＦ帯テレビジョン放送信号またはＦＭ放送信号を受信するときは、第二のスイッチダイオードを非導通状態にするとともに、第一のスイッチダイオードを導通状態にし、地上波ＦＭ放送信号を受信するときは、第一のスイッチダイオードを非導通状態にするとともに、第二のスイッチダイオードを導通状態にしたので、ＶＨＦ帯テレビジョン放送信号またはＦＭ放送信号を受信するときは、アンテナスイッチ回路がＶＨＦ回路部から地上波ＦＭ放送信号を受信するＦＭアンテナを切り離し、地上波ＦＭ放送信号を受信するときまたはＵＨＦ帯テレビジョン放送信号を受信するときは、アンテナスイッチ回路によってＣＡＴＶ放送信号用のケーブルからＶＨＦ回路部を切り離すので、ＶＨＦ回路部またはＵＨＦ回路部が互いに受信状態の時に妨害を及ぼさないようにすることができる。
【００５７】
また、本発明のテレビジョンチューナーは、第一の入力端とグランドとの間に、第三のスイッチダイオードを設け、第二の入力端とグランドとの間に、第四のスイッチダイオードを設け、ＶＨＦ帯テレビジョン放送信号またはＦＭ放送信号を受信するときは、第三のスイッチダイオードを非導通状態にするとともに、第四のスイッチダイオードを導通状態にし、ＵＨＦ帯テレビジョン放送信号または地上波ＦＭ放送信号を受信したときは、第三のスイッチダイオードを導通状態にするとともに、第四のスイッチダイオードを非導通状態にしたことで、第一のスイッチダイオード１５及び第二のスイッチダイオード１６の非導通時に、テレビジョン放送信号及びＦＭ放送信号が第一及び第二のスイッチダイオードを漏れてＶＨＦ回路部９に入力されるのを防ぐことが出来る。
【図面の簡単な説明】
【図１】本発明のテレビジョンチューナーのブロック構成図である。
【図２】本発明のテレビジョンチューナーのアンテナスイッチ回路の回路図である。
【図３】従来のテレビジョンチューナーのブロック構成図である。
【符号の説明】
１  チューナー部
１ａ  第一の入力端
１ｂ  第二の入力端
２  切替制御部
３  中間周波回路
４  復調器
５  疑似搬送波発振器
６  切替手段
７  ケーブル
８  ＦＭ放送受信アンテナ
９  ＶＨＦ回路部
９ａ  ＶＨＦ回路部の入力端
９ｂ  スイッチダイオード
１０  ＵＨＦ回路部
１０ａ  ＵＨＦ回路部の入力端
１１  アンテナスイッチ回路
１１ａ  第一の入力端
１１ｂ  第二の入力端
１１ｃ  出力端
１１ｄ  第一の切替電圧入力端
１１ｅ  第二の切替電圧入力端
１２  切替電圧発生器
１２ａ  第一の出力端
１２ｂ  第二の出力端
１２ｃ  第三の出力端
１２ｄ  第四の出力端
１３  ＰＮＰ型トランジスタ
１４，２１，２２，２３，２５，２７  抵抗
１５  第一のスイッチダイオード
１６  第二のスイッチダイオード
１７  第三のスイッチダイオード
１８，２０  直流阻止コンデンサ
１９  第四のスイッチダイオード
２４，２６  コイル
【図１】
0003586113.tif 000002
【図２】
0003586113.tif 000003
【図３】
0003586113.tif 000004